(57)【要約】【課題】  鍵盤蓋を楽器本体の下部側に収納して楽器全体の小型化を図ることができる鍵盤楽器を提供する。【解決手段】  楽器本体１内に配置された鍵盤部４の前端側を覆う前蓋１３と鍵盤部４の上部側を覆う後蓋１４とを屈曲連結部１５で屈曲自在に連結した鍵盤蓋１２を、蓋開閉機構である回動支持部１６によって、鍵盤部４の下側に位置する楽器本体１の下部側に移動可能に収納する。従って、鍵盤部４の後部側に位置する楽器本体１内に鍵盤蓋１２を収納するスペースを設ける必要がないので、鍵盤部４の後部側に操作スイッチ６やスピーカ１０、回路基板７、８、譜面立て１１などの部品を実装しても、楽器本体１の奥行きが大きくならず、十分に楽器全体の小型化を図ることができる。【選択図】        図７
2010072264.tif 000002
【特許請求の範囲】
【請求項１】
鍵盤部が内部に配置された楽器本体と、
前記鍵盤部の前端側を覆う前蓋と前記鍵盤部の上部側を覆う後蓋とが屈曲連結部で屈曲自在に連結された鍵盤蓋と、
この鍵盤蓋を前記楽器本体の下部側に移動可能に収納するための蓋開閉機構と
を備えていることを特徴とする鍵盤楽器。
【請求項２】
前記蓋開閉機構は、前記前蓋の前端下部を前記鍵盤部の前端下部に対応する前記楽器本体の前側下部に回動可能に支持する回動支持部を備え、
前記鍵盤蓋を開いて前記鍵盤部を露出させる際に、前記回動支持部を中心に前記前蓋を回動させて前記楽器本体の前部下側に移動させると共に、前記屈曲連結部を中心に前記後蓋を前記前蓋に対して屈曲させながら前記楽器本体の後部下側に移動させることを特徴とする請求項１に記載の鍵盤楽器。
【請求項３】
前記蓋開閉機構は、前記前蓋の前端下部に設けられたガイド軸と、このガイド軸を前記楽器本体の前側下部から後側下部に亘ってガイドするガイド溝、および前記前蓋の側縁部と前記後蓋の側縁部とを摺動可能に支持して前記楽器本体の前側下部から後側下部に亘ってガイドするガイド支持部を有するガイドレール部材とを備え、
前記鍵盤蓋を開いて前記鍵盤部を露出させる際に、前記ガイド軸を前記ガイド溝でガイドすると共に、前記前蓋の側縁部と前記後蓋の側縁部とを前記ガイド支持部でガイドして、前記前蓋と前記後蓋とをその順で前記楽器本体の下部側に移動させることを特徴とする請求項１に記載の鍵盤楽器。
【請求項４】
前記鍵盤蓋は、前記前蓋と前記後蓋とをそれぞれ複数の蓋部に分割し、この分割された複数の蓋部を複数の屈曲連結部で順次連結した構成であり、前記蓋開閉機構は、前記鍵盤部の上側に位置する前記楽器本体の後部上側から前記楽器本体の前部側を経て前記楽器本体の後部下側に亘って連続して設けられて前記複数の屈曲連結部を移動可能にガイドするガイドレール部材を備え、
前記鍵盤蓋を開いて前記鍵盤部を露出させる際に、前記複数の屈曲連結部を前記ガイドレール部材でガイドして、前記複数の蓋部を順次前記楽器本体の下部側に移動させることを特徴とする請求項１に記載の鍵盤楽器。
【発明の詳細な説明】
【技術分野】
【０００１】
この発明は、電子ピアノなどの鍵盤楽器に関し、更に詳しく鍵盤蓋を開閉自在に収納する鍵盤楽器に関する。
【背景技術】
【０００２】
従来、鍵盤楽器においては、特許文献１に記載されているように、楽器本体内に配置された鍵盤部を開閉可能に覆う鍵盤蓋を前蓋と後蓋とに分割し、この前蓋と後蓋とを蝶番で折れ曲がり可能に連結し、この鍵盤蓋をガイドレール部材に沿って移動させて楽器本体内の後部側に収納するように構成されたものが知られている。
【特許文献１】特開２００７−１０２０４５
【０００３】
すなわち、この鍵盤楽器は、鍵盤蓋を開いて鍵盤部を露出させる際、前蓋を持ち上げながら楽器本体の後方に向けて移動させると、後蓋がガイドレール部材に沿って後方に移動しながら蝶番を中心に前蓋に対して徐々に折れ曲がり、この折れ曲がった後蓋が鍵盤部の後方に位置する楽器本体内の後部側に斜めに傾斜した状態で起立するように収納されると共に、前蓋が楽器本体の天板の下側にこれとほぼ平行な状態で収納されるように構成されている。
【発明の開示】
【発明が解決しようとする課題】
【０００４】
しかしながら、このような従来の鍵盤楽器では、鍵盤蓋を開いて鍵盤部を露出させたときに、前蓋が天板の下側にほぼ平行に配置されると共に、後蓋が楽器本体内の後部側に斜めに傾斜した状態で起立して配置されるため、鍵盤部の後方に位置する楽器本体内に鍵盤蓋を収納する広いスペースを設けなければならない。さらに、この後方に位置する楽器本体に、操作スイッチやスピーカ、回路基板、譜面立てなどの部品を実装する場合、楽器本体が大型化するという問題がある。
【０００５】
この発明が解決しようとする課題は、鍵盤蓋を楽器本体の下部側に収納して楽器全体の小型化を図ることができる鍵盤楽器を提供することである。
【課題を解決するための手段】
【０００６】
この発明は、上記課題を解決するために、次のような構成要素を備えている。
請求項１に記載の発明は、鍵盤部が内部に配置された楽器本体と、前記鍵盤部の前端側を覆う前蓋と前記鍵盤部の上部側を覆う後蓋とが屈曲連結部で屈曲自在に連結された鍵盤蓋と、この鍵盤蓋を前記楽器本体の下部側に移動可能に収納するための蓋開閉機構とを備えていることを特徴とする鍵盤楽器である。
【０００７】
請求項２に記載の発明は、前記蓋開閉機構が、前記前蓋の前端下部を前記鍵盤部の前端下部に対応する前記楽器本体の前側下部に回動可能に支持する回動支持部を備え、前記鍵盤蓋を開いて前記鍵盤部を露出させる際に、前記回動支持部を中心に前記前蓋を回動させて前記楽器本体の前部下側に移動させると共に、前記屈曲連結部を中心に前記後蓋を前記前蓋に対して屈曲させながら前記楽器本体の後部下側に移動させることを特徴とする請求項１に記載の鍵盤楽器である。
【０００８】
請求項３に記載の発明は、前記蓋開閉機構が、前記前蓋の前端下部に設けられたガイド軸と、このガイド軸を前記楽器本体の前側下部から後側下部に亘ってガイドするガイド溝、および前記前蓋の側縁部と前記後蓋の側縁部とを摺動可能に支持して前記楽器本体の前側下部から後側下部に亘ってガイドするガイド支持部を有するガイドレール部材とを備え、前記鍵盤蓋を開いて前記鍵盤部を露出させる際に、前記ガイド軸を前記ガイド溝でガイドすると共に、前記前蓋の側縁部と前記後蓋の側縁部とを前記ガイド支持部でガイドして、前記前蓋と前記後蓋とをその順で前記楽器本体の下部側に移動させることを特徴とする請求項１に記載の鍵盤楽器である。
【０００９】
請求項４に記載の発明は、前記鍵盤蓋が、前記前蓋と前記後蓋とをそれぞれ複数の蓋部に分割し、この分割された複数の蓋部を複数の屈曲連結部で順次連結した構成であり、前記蓋開閉機構は、前記鍵盤部の上側に位置する前記楽器本体の後部上側から前記楽器本体の前部側を経て前記楽器本体の後部下側に亘って連続して設けられて前記複数の屈曲連結部を移動可能にガイドするガイドレール部材を備え、前記鍵盤蓋を開いて前記鍵盤部を露出させる際に、前記複数の屈曲連結部を前記ガイドレール部材でガイドして、前記複数の蓋部を順次前記楽器本体の下部側に移動させることを特徴とする請求項１に記載の鍵盤楽器である。
【発明の効果】
【００１０】
この発明によれば、鍵盤部の前端側を覆う前蓋と鍵盤部の上部側を覆う後蓋とを屈曲連結部で屈曲自在に連結した鍵盤蓋を、蓋開閉機構によって楽器本体の下部側に移動可能に収納することができる。このため、鍵盤部の後部側に位置する楽器本体内に鍵盤蓋を収納するスペースを設ける必要がないので、鍵盤部の後部側に操作スイッチやスピーカ、回路基板、譜面立てなどの部品を実装しても、楽器本体の奥行きが大きくならず、十分に楽器全体の小型化を図ることができる。
【発明を実施するための最良の形態】
【００１１】
（実施形態１）
以下、図１〜図７を参照して、この発明を適用した鍵盤楽器の実施形態１について説明する。
この鍵盤楽器１は、図１および図２に示すように、楽器本体１を備えている。この楽器本体１は、その左右の両側部に一対の側板２（図２では片側のみを示す）が取り付けられ、この一対の側板２の上部側に支持され、その下側に広い空間を形成した構成になっている。
【００１２】
この楽器本体１内には、図２および図３に示すように、鍵盤シャーシ３と、この鍵盤シャーシ３上に配置された鍵盤部４とが設けられている。鍵盤部４は、白鍵および黒鍵からなる多数の鍵４ａが鍵盤シャーシ３上に配列され、これらの鍵４ａの後端部が鍵盤シャーシ３の後端部上に回動可能に取り付けられ、この状態で押鍵操作によって各鍵４ａの前部側が上下方向に回動するように構成されている。
【００１３】
また、この楽器本体１の後側上部には、図２および図３に示すように、カバーケース５が鍵盤部４の後部上側から鍵盤部４の後方下部に亘って設けられている。このカバーケース５の前側上部には、図１および図３に示すように、音量や音色などの各種機能を選択指定する複数のスイッチを有する操作スイッチ部６が設けられている。
【００１４】
この操作スイッチ部６の下側には、図３に示すように、回路基板７、８が鍵盤部４の後側上部に位置して設けられている。また、鍵盤部４の後方に位置するカバーケース５の下側における両側の内部には、図１に示すように、スピーカ１０がそれぞれ設けられている。さらに、カバーケース５の後側上部には、図２および図３に示すように、譜面立て１１が斜め後側上方に向けて傾いた状態で起立して設けられている。
【００１５】
ところで、この楽器本体１には、図３に示すように、鍵盤部４を開閉可能に覆う鍵盤蓋１２が設けられている。この鍵盤蓋１２は、鍵盤部４の前端側を覆う前蓋１３と、鍵盤部４の上部側を覆う後蓋１４と、この前蓋１３と後蓋１４とを屈曲自在に連結する屈曲連結部１５とを備えている。また、この鍵盤蓋１２は、図３に示すように、前蓋１３の下端部が回動支持部１６によって鍵盤部４の前端下部に対応する楽器本体１の前側下部に位置する箇所の一対の側板２にそれぞれ回動可能に支持されている。
【００１６】
この回動支持部１６は、図３および図７に示すように、鍵盤シャーシ３の下側に位置する楽器本体１の下部側に鍵盤蓋１２を移動可能に収納するための蓋開閉機構であり、図３〜図５に示すように、前蓋１３の下端部における両側の側面（図３〜図５では片側のみを示す）に、これに対向する側板２側に向けて突出して設けられた支持軸１７と、鍵盤部４の前端下部に位置する楽器本体１の側板２に設けられて支持軸１７を回転自在に支持する軸受部１８とを備えている。
【００１７】
この場合、鍵盤部４の後部上側に位置する楽器本体１の側板２には、図３および図７に示すように、鍵盤蓋１２を閉じて鍵盤部４を覆った際に、後蓋１４に設けられたストッパ孔１４ａにその下側から係脱可能に係合する上部ストッパ部材１９が設けられている。この上部ストッパ部材１９は、図６に示すように、鍵盤部４の後部上側に位置する側板２に取り付けて鍵盤部４の上側に沿って楽器本体１内に向けて突出する取付板１９ａと、この取付板１９ａにその上方に向けて突出して取り付けられて後蓋１４のストッパ孔１４ａにその下方から係脱可能に係合する係合ピン１９ｂとを備えている。
【００１８】
また、鍵盤シャーシ３の後部下側に位置する楽器本体１の側板２には、図３および図７に示すように、鍵盤蓋１２を開いて鍵盤部４を露出させた際に、後蓋１４に設けられたストッパ孔１４ａにその上側から係脱可能に係合する下部ストッパ部材２０が設けられている。この下部ストッパ部材２０も、鍵盤シャーシ３の後部下側に位置する側板２に取り付けて鍵盤シャーシ３の下側に沿って楽器本体１内に向けて突出する取付板２０ａと、この取付板２０ａにその下方に向けて突出して取り付けられて後蓋１４のストッパ孔１４ａにその上方から係脱可能に係合する係合ピン２０ｂとを備えている（図６参照）。
【００１９】
このような鍵盤楽器では、図３に示すように、鍵盤蓋１２が鍵盤部４を覆って閉じた際に、前蓋１３の下端部が回動支持部１６によって鍵盤部４の前端下部に対応する楽器本体１の側板２の前端部に支持され、この状態で鍵盤蓋１２を閉じて鍵盤部４を覆った際に、前蓋１３が鍵盤部４の前端側に位置し、後蓋１４が屈曲連結部１５でほぼ直角に折れ曲がって鍵盤部４の上部側に位置する（図７のＡ状態）。このときには、後蓋１４のストッパ孔１４ａに上部ストッパ部材１９の係合ピン１９ｂが係合して、鍵盤蓋１２を楽器本体１に対して固定する。
【００２０】
また、鍵盤蓋１２を開いて鍵盤部４を露出させる際には、まず、上部ストッパ部材１９の係合ピン１９ｂを後蓋１４のストッパ孔１４ａから相対的に離脱させて、鍵盤蓋１２を開閉動作可能な状態する。この状態で、図７に示すように、回動支持部１６を中心に前蓋１３を手前側（図７では反時計回り）に回動させて楽器本体１の手前側（図７では左側）に移動させる（図７のＢ状態）。この状態では、前蓋１３が斜め上側に前上がりに傾斜し、後蓋１４が前蓋１３に対して斜め後方に少し傾いた状態で起立する。
【００２１】
この状態で、回動支持部１６を中心に前蓋１３を更に回動させて、前蓋１３を斜め下側に前下がりに傾斜させる（図７のＣ状態）。このときには、図７のＢ状態からＣ状態に示すように、後蓋１４を屈曲連結部１５で上側から下側に向けてほぼ１８０°回動させて、後蓋１４を前蓋１３の下側に移動させる。この後、回動支持部１６を中心に前蓋１３を更に回動させて、前蓋１３を回動支持部１６の下側に垂下させて、後蓋１４を前蓋１３の下端部から楽器本体１の下側に向けて移動させる（図７のＤ状態）。
【００２２】
そして、回動支持部１６を中心に前蓋１３を更に回動させながら、後蓋１４を鍵盤シャーシ３の下側に位置する楽器本体１の下部側にほぼ水平な状態に移動する（図７のＥ状態）。これにより、前蓋１３が楽器本体１の前側下部に配置されると共に、後蓋１４が楽器本体１の後側下部に配置される。この状態で、後蓋１４のストッパ孔１４ａに下部ストッパ部材２０の係合ピン２０ｂを係合させる。これにより、鍵盤部１２が楽器本体１の下部側に収納されて固定される。
【００２３】
このように、この鍵盤楽器によれば、楽器本体１内に配置された鍵盤部４の前端側を覆う前蓋１３と鍵盤部４の上部側を覆う後蓋１４とを屈曲連結部１５で屈曲自在に連結した鍵盤蓋１２を、蓋開閉機構である回動支持部１６によって、鍵盤部４の下側に位置する楽器本体１の下部側に移動可能に収納することができる。このため、鍵盤部４の後部側に位置する楽器本体１内に鍵盤蓋１２を収納するスペースを設ける必要がないので、鍵盤部４の後部側に操作スイッチ６やスピーカ１０、回路基板７、８、譜面立て１１などの部品を実装しても、楽器本体１の奥行きが大きくならず、十分に楽器全体の小型化を図ることができる。
【００２４】
この場合、蓋開閉機構である回動支持部１６は、前蓋１３の前端下部を鍵盤部４の前端下部に対応する楽器本体１の側板２の前側下部に回動可能に支持しているので、この回動支持部１６を中心に前蓋１３を回動させて楽器本体１の前側下部に移動させて配置させると共に、屈曲連結部１５を中心に後蓋１４を前蓋１３に対して屈曲させながら楽器本体１の後側下部に移動させて配置させることができる。このため、鍵盤蓋１２の開閉操作が簡単で、容易に鍵盤蓋１２を楽器本体１の下部側に収納することができる。
【００２５】
また、この回動支持部１６は、前蓋１３の下部両側にその側方に向けて突出して設けられた支持軸１７と、鍵盤部４の前端下部に位置する楽器本体１の前側下部に設けられて支持軸１７を回転自在に支持する軸受部１８とを備えた構成であるから、構造が簡単であるばかりか、楽器本体１に設けられた軸受部１８に、前蓋１３に取り付けられた支持軸１７を挿入するだけで、簡単に鍵盤蓋１２を楽器本体１に対して取り付けることができる。このため、鍵盤蓋１２の取付構造が簡単で、組立て作業も容易にでき、生産性が良いものを提供することができる。
【００２６】
また、この鍵盤楽器では、鍵盤部４の後部上側に位置する箇所の楽器本体１の側板２に、後蓋１４のストッパ孔１４ａを係脱可能に係止する上部ストッパ部材１９が設けられているので、鍵盤蓋１２を閉じて鍵盤部４を覆った際に、上部ストッパ部材１９で後蓋１４のストッパ孔１４ａを係止することにより、鍵盤蓋１２を楽器本体１に対して確実に固定することができ、これにより鍵盤蓋１２が勝手に開くことがないので、安全性の高いものを得ることができる。
【００２７】
さらに、この鍵盤楽器では、鍵盤部４の後部下側に位置する箇所の楽器本体１の側板２に、後蓋１４のストッパ孔１４ａを係脱可能に係止する下部ストッパ部材２０が設けられているので、鍵盤蓋１２を開いて楽器本体１の下部側に収納した際に、下部ストッパ部材２０で後蓋１４のストッパ孔１４ａを係止することにより、鍵盤蓋１２を楽器本体１に対して確実に固定することができ、これにより鍵盤蓋１２が勝手に楽器本体１の下部側から離脱することがないため、これによっても安全性の高いものを得ることができる。
【００２８】
（実施形態２）
次に、図８〜図１２を参照して、この発明を適用した鍵盤楽器の実施形態２について説明する。なお、図１〜図７に示された実施形態１と同一部分には、同一符号を付して説明する。
この鍵盤楽器は、図８に示すように、楽器本体１の下部側にガイドレール部材２５を設け、このガイドレール部材２５で鍵盤蓋２６をガイドして楽器本体１の下部側に収納する構成であり、これ以外は実施形態１とほぼ同じ構成になっている。
【００２９】
この場合、鍵盤蓋２６は、図８に示すように、前蓋２７と後蓋２８とが同じ曲率で緩やかに湾曲した形状に形成され、実施形態１と同様、屈曲連結部１５によって屈曲自在に連結した構成になっている。また、この前蓋２７の前端下部には、図８および図９に示すように、ガイドレール部材２５によってガイドされるガイド軸２９が、前蓋２７の側面からこれに対向する側板２側に向けて突出して設けられている。
【００３０】
ガイドレール部材２５は、図９に示すように、前蓋２７の前端下部に設けられたガイド軸２９をガイドするガイド溝２５ａと、図１０に示すように、前蓋２７の側縁部および後蓋２８の側縁部を摺動可能に支持してガイドするガイド支持部２５ｂとを備え、図８に示すように、楽器本体１の前側下部から後側下部に亘って、斜め下側に向けて後部下がり（図８では右下がり）に傾斜して設けられている。
【００３１】
すなわち、このガイドレール部材２５は、図８、図１１、図１２に示すように、その前端部（図８では左側の端部）が鍵盤シャーシ３の前端下部に位置し、後端部（図８では右側の端部）が鍵盤シャーシ３の後部下方に位置し、この後端部が前端部よりも低い位置に設けられていることにより、斜め下側に向けて後部下がりに傾斜している。
【００３２】
また、このガイドレール部材２５は、図８、図１１、図１２に示すように、前蓋２７および後蓋２８の湾曲形状と同じ曲率で、前側から後側に向けて緩やかに湾曲し、この状態で後部下がりに傾斜して配置されている。また、このガイドレール部材２５の後端部には、図８、図１１、図１２に示すように、ガイド軸２７が当接するストッパ部２５ｃが設けられた構成になっている。
【００３３】
この場合にも、鍵盤部４の後部上方に位置する楽器本体１の側板２には、図８および図１１に示すように、鍵盤蓋２６を閉じて鍵盤部４を覆った際に、後蓋２８に設けられたストッパ孔２８ａをその下側から係脱可能に係止する上部ストッパ部材１９が設けられている。この上部ストッパ部材１９も、実施形態１と同様、鍵盤部４の後部上側に位置する側板２に取り付けて鍵盤部４の上側に沿って楽器本体１内に向けて突出する取付板１９ａと、この取付板１９ａにその上方に向けて突出して取り付けられて後蓋２８のストッパ孔２８ａにその下方から係合する係合ピン１９ｂとを備えている。
【００３４】
このような鍵盤楽器では、図８に示すように、鍵盤蓋２６が鍵盤部４を覆って閉じた際に、前蓋２７の下端部に設けられたガイド軸２９がガイドレール部材２５のガイド溝２５ａにおける前端部内に位置し、この状態で前蓋２７が鍵盤部４の前端部を覆い、後蓋２８が屈曲連結部１５でほぼ直角に折れ曲がって鍵盤部４の上側を覆う。このときには、後蓋２８のストッパ孔２８ａに上部ストッパ部材１９の係合ピン１９ｂが係合して、鍵盤蓋２６を楽器本体１に対して固定する。
【００３５】
また、鍵盤蓋２６を開いて鍵盤部４を露出させる際には、図１１のＡ状態に示すように、上部ストッパ部材１９の係合ピン１９ｂを後蓋２８のストッパ孔２８ａから相対的に離脱させて、鍵盤蓋２６を開閉動作可能な状態する。この状態で、前蓋２７の下端部に設けられたガイド軸２９をガイドレール部材２５のガイド溝２５ａに沿って楽器本体１の下部後方に向けて移動させる。すると、図１１のＡ状態に示すように、前蓋２７が鍵盤部４の前方（同図では左方）に向けて傾斜すると共に、後蓋２８が鍵盤部４の前側上方に向けて移動しながら後部上がりに傾斜する。
【００３６】
そして、前蓋２７の下端部に設けられたガイド軸２９がガイドレール部材２５のガイド溝２５ａに沿って楽器本体１の下部後方に向けて更に移動すると、図１０に示すように、前蓋２７の側縁部がガイドレール部材２５のガイド支持部２５ｂ上に摺動可能に配置されるので、前蓋２７が鍵盤部４の前方に傾いてガイドレール部材２５の曲率延長上に位置する。このときには、屈曲連結部１５を中心に後蓋２８を上方に向けて回動させてほぼ垂直な状態に起立させる（図１１のＢ状態）。
【００３７】
この状態で、前蓋２７の下端部に設けられたガイド軸２９が、ガイドレール部材２５のガイド溝２５ａに沿って更に楽器本体１の下部後方に向けて移動すると共に、前蓋２７の側縁部がガイドレール部材２５のガイド支持部２５ｂ上を摺動すると、屈曲連結部１５がガイドレール部材２５のガイド溝２５ａに接近して対応し、図１０に示すように、後蓋２８の側縁部がガイドレール部材２５のガイド支持部２５ｂ上に摺動可能に配置される。これにより、後蓋２８がガイドレール部材２５の曲率延長上に位置する。
【００３８】
この後、前蓋２７の下端部に設けられたガイド軸２９がガイドレール部材２５のガイド溝２５ａの後端部に移動すると、図１２に示すように、ガイド軸２９がガイド溝２５ａのストッパ部２５ｃに当接して、ガイド軸２９の移動が停止される。このときには、前蓋２７の側縁部と後蓋２８の側縁部との両方がガイドレール部材２５のガイド支持部２５ｂ上に配置されて支持されるので、鍵盤蓋２６が楽器本体１の下部側に安定した状態で収納される。
【００３９】
このように、この鍵盤楽器によれば、楽器本体１内に配置された鍵盤部４の前端側を覆う前蓋２７と鍵盤部４の上部側を覆う後蓋２８とを屈曲連結部１５で屈曲自在に連結した鍵盤蓋２６を、前蓋２７の前端下部に設けられたガイド軸２９と、これをガイドするガイドレール部材２５とを有する蓋開閉機構によって、楽器本体１の下部側に移動可能に収納することができる。このため、実施形態１と同様、鍵盤部４の後部側に位置する楽器本体１内に鍵盤蓋２６を収納するスペースを設ける必要がないので、鍵盤部４の後部側に操作スイッチ６やスピーカ１０、回路基板７、８、譜面立て１１などの部品を実装しても、楽器本体１の奥行きが大きくならず、十分に楽器全体の小型化を図ることができる。
【００４０】
この場合、ガイドレール部材２５は、楽器本体１の前側下部から後側下部に亘って設けられ、且つ前蓋２７の前端下部に設けられたガイド軸２９をガイドするガイド溝２５ａと、前蓋２７の側縁部および後蓋２８の側縁部を摺動可能に支持してガイドするガイド支持部２５ｂとを有する構成であるから、鍵盤蓋２６を開いて鍵盤部４を露出させる際、ガイド軸２９をガイドレール部材２５のガイド溝２５ａでガイドすることができると共に、前蓋２７の側縁部と後蓋２８の側縁部とをガイドレール部材２５のガイド支持部２５ｂで順次摺動可能に支持してガイドすることができ、これにより鍵盤蓋２６を楽器本体１の下部側に安定させた状態で収納することができる。
【００４１】
また、このガイドレール部材２５は、楽器本体１の前側から後側に向けて後部下がりに傾斜していることにより、鍵盤蓋２６を楽器本体１の下部側に収納する際に、鍵盤蓋２６の重量がガイドレール部材２５の傾斜に沿って後側下部に向けて加わることになるので、鍵盤蓋２６を軽い力で円滑に移動させることができ、これにより鍵盤蓋２６の収納操作が容易にできると共に、楽器本体１の下部側に良好に収納させることができる。
【００４２】
さらに、このガイドレール部材２５は、楽器本体１の後部側に位置する箇所に、ガイド軸２７が当接するストッパ部２５ｃが設けられているので、鍵盤蓋２６を楽器本体１の下部側に収納する際、ガイドレール部材２５の傾斜によってガイド軸２９が鍵盤蓋２６の重量で加速されて移動しても、ストッパ部２５ｃでガイド軸２９を確実に所定位置に停止させることができ、これにより安全性を確保することができる。
【００４３】
なお、上記実施形態２では、ガイドレール部材２５のガイド支持部２５ｂが前蓋２７の側縁部および後蓋２８の側縁部を摺動可能に支持してガイドする構成である場合について述べたが、これに限らず、例えば図１３〜図１５に示す変形例のように、前蓋２７の側縁部および後蓋２８の側縁部にそれぞれガイドローラ３１を設け、このガイドローラ３１がガイドレール部材２５のガイド支持部２５ｂ上を転動するように構成しても良い。
【００４４】
このように構成すれば、鍵盤蓋２６を開いて鍵盤部４を露出させる際に、ガイド軸２９がガイドレール部材２５のガイド溝２５ａでガイドされながら、前蓋２７の側縁部に設けられたガイドローラ３１と後蓋２８の側縁部に設けられたガイドローラ３１とがガイドレール部材２５のガイド支持部２５ｂ上を転動するので、鍵盤蓋２６をガイドレール部材２５に沿って円滑に移動させることができる。
【００４５】
また、上記実施形態２では、前蓋２７に設けられたガイド軸２９をガイドレール部材２５のガイド溝２５ａでガイドする構成である場合について述べたが、これに限らず、例えば前蓋２７のガイド軸２９にピニオンギアを設け、ガイドレール部材にピニオンギアが噛み合って転動するラックギアを設けた構成であっても良い。
【００４６】
なお、上記実施形態１、２では、鍵盤蓋１２、２６が、前蓋１３、２７と後蓋１４、２８とに分割されて屈曲連結部１５によって屈曲自在に連結された構成である場合について述べたが、これに限らず、例えば前蓋１２、２６を複数に分割して屈曲連結部で連結すると共に、後蓋１４、２８も複数に分割して屈曲連結部で連結した構成にしても良い。このように構成すれば、鍵盤蓋全体の屈曲性が向上し、収納性を更に高めることができる。
【００４７】
（実施形態３）
次に、図１６および図１７を参照して、この発明を適用した鍵盤楽器の実施形態３について説明する。この場合にも、図１〜図７に示された実施形態１と同一部分に、同一符号を付して説明する。
この鍵盤楽器は、図１６および図１７に示すように、鍵盤部４の上側に位置する箇所から鍵盤部４の前側を経て楽器本体１の下部側に亘って、複数に分割された鍵盤蓋３５をガイドレール部材３６でガイドする構成であり、これ以外は実施形態１とほぼ同じ構成になっている。
【００４８】
この場合、鍵盤蓋３５は、図１６および図１７に示すように、前蓋３７と後蓋３８とをそれぞれ複数の蓋部４０に分割し、この分割された複数の蓋部４０を複数の屈曲連結部４１によって順次屈曲自在に連結された構成になっている。この複数の屈曲連結部４１は、その各軸部４１ａが各蓋部４０の各両側縁部からこれに対向する側板２側に向けてそれぞれ突出している。
【００４９】
ガイドレール部材３６は、図１６および図１７に示すように、鍵盤部４の上側に位置する楽器本体１の後部上側から楽器本体１の前部側を経て楽器本体１の後部下側に亘って連続して設けられ、複数の屈曲連結部４１の各軸部４１ａを移動可能にガイドするように構成されている。この場合、鍵盤部４の上側に位置する箇所のガイドレール部材３６は、前側から後側中間部に向けて緩やかに上昇する後部上がり（図１６では右上がり）の傾斜部３６ａに形成されていると共に、後側中間部から後端部に向けてほぼ水平な平坦部３６ｂに形成されている。
【００５０】
これにより、ガイドレール部材３６は、図１６に示すように、鍵盤蓋３５が鍵盤部４を覆って閉じた際に、後蓋３８の後部側（図１６では右側）に位置する複数の蓋部４０が後部側の平坦部３６ｂに配置されることにより、その複数の蓋部４０の重量によって鍵盤蓋３５を閉じた状態に保持するように構成されている。また、このガイドレール部材３６は、図示しないが、ガイドレール部材３６に沿って設けられたラックギアを備え、このラックギアに複数の屈曲連結部４１の各軸部４１ａにそれぞれ設けられたピニオンギアが噛み合って転動するように構成されていることが望ましい。
【００５１】
また、このガイドレール部材３６の下側に位置する後端部、つまり楽器本体１の下部側に位置するガイドレール部材３６の後端部には、図１６および図１７に示すように、前蓋３７の下側（図１７では右側の後部側）に位置する蓋部４０の端部３７ａ（図１７では右側の後端部）が弾接するばね部材４２が設けられている。
【００５２】
このばね部材４２は、図１７に示すように、鍵盤蓋３５を楽器本体１の下部側に収納した際に、前蓋３７の下側（図１７では右側の後端側）に位置する蓋部４０の端部３７ａによって押されて圧縮され、鍵盤蓋３５が鍵盤部４を覆って閉じるときに、圧縮されたばね部材４２のばね力によって鍵盤蓋３５を押し出すように構成されている。
【００５３】
このため、楽器本体１の前端部には、図１７に示すように、鍵盤蓋３５が楽器本体１の下部側に収納された際、ばね部材４２のばね力で鍵盤蓋３５が押し出されるのを阻止するロック部材４３が設けられている。このロック部材４３は、鍵盤蓋３５が楽器本体１の下部側に収納された際に、楽器本体１の前部側に位置する後蓋３８の最後部に位置する蓋部４０の端部３８ａに当接して、鍵盤蓋３５の全体をロックし、鍵盤蓋３５が鍵盤部４を覆って閉じる際に、最後部の蓋部４０に対するロックを解除するように構成されている。
【００５４】
このような鍵盤楽器では、図１６に示すように、鍵盤蓋３５が鍵盤部４を覆って閉じた際に、前蓋３７に対応する複数の屈曲連結部４１の各軸部４１ａが鍵盤部４の前端部に位置するガイドレール部材３６に支持されると共に、後蓋３８に対応する複数の屈曲連結部４１の各軸部４１ａが鍵盤部４の上側に位置するガイドレール部材３６の傾斜部３６ａおよび平坦部３６ｂで支持される。
【００５５】
これにより、図１６に示すように、前蓋２７の各蓋部４０が鍵盤部４の前側にほぼ垂直な状態で配置され、後蓋３８の各蓋部４０が鍵盤部４の上側に配置される。この状態では、後蓋３８の後部側に位置する複数の蓋部４０がガイドレール部材３６の上側に位置する後部側の平坦部３６ｂに配置されることにより、この平坦部３６ｂに配置された複数の蓋部４０の重量によって鍵盤蓋３５全体が鍵盤部４を覆って閉じた状態に保持される。
【００５６】
また、鍵盤蓋３５を開いて鍵盤部４を露出させる際には、図１６に示す状態で、前蓋３７の各蓋部４０を下側に移動させると、前蓋３７と後蓋３８とに対応する全ての屈曲連結部４１の各軸部４１ａがガイドレール部材３６でガイドされて、鍵盤部４の上側から鍵盤部４の前側を経て鍵盤シャーシ３の下側に向けて移動する。
【００５７】
これに伴って、前蓋３７の各蓋部４０が楽器本体１の下側に移動すると共に、後蓋３８の各蓋部４０のうち、後蓋３８の前部側に位置する各蓋部４０が鍵盤部４の上側から鍵盤部４の前側を経て楽器本体１の下部側に移動し、且つ後蓋３８の後部側の各蓋部４０が鍵盤部４の上側から鍵盤部４の前側に移動する。
【００５８】
このとき、前蓋３７の蓋部４０の端部３７ａが楽器本体１の下側後部に移動してばね部材４２に弾接すると、鍵盤蓋３５全体の移動が停止される。この状態で、最後部の蓋部４０をばね部材４２のばね力に抗して移動させ、この後蓋３８の最後部に位置する蓋部４０が鍵盤部４の前部側に位置した際に、図１７に示すように、ロック部材４３で最後部の蓋部４０の端部３８ａをロックする。このときには、ばね部材４２が前蓋３７の蓋部４０の端部３７ａで押されて圧縮され、この状態で鍵盤蓋３５が楽器本体１の下部側に配置されて収納される。
【００５９】
このように、この鍵盤楽器によれば、楽器本体１内に配置された鍵盤部４の前端側を覆う前蓋３７と鍵盤部４の上部側を覆う後蓋３８とをそれぞれ複数の蓋部４０に分割して複数の屈曲連結部４１で順次屈曲自在に連結することにより、鍵盤蓋３５を構成し、この鍵盤蓋３５を、ガイドレール部材３６である蓋開閉機構によって、楽器本体１の上部側から前側を経て楽器本体１の下部側に向けて移動させて、楽器本体１の前側から後部下側に亘って収納することができる。
【００６０】
このため、実施形態１と同様、鍵盤部４の後部側に位置する楽器本体１内に鍵盤蓋３５を収納するスペースを設ける必要がないので、鍵盤部４の後部側に操作スイッチやスピーカ、譜面立て、回路基板４４などの部品を実装しても、楽器本体１の奥行きが大きくならず、十分に楽器全体の小型化を図ることができる。
【００６１】
この場合、ガイドレール部材３６は、鍵盤部４の上側に位置する楽器本体１の後部上側から楽器本体１の前端側を経て楽器本体１の後部下側に亘って連続して設けられ、且つ複数の屈曲連結部４１の各軸部４１ａを移動可能にガイドする構成であるから、鍵盤蓋３５を開いて鍵盤部４を露出させる際、複数の屈曲連結部４１の各軸部４１ａをガイドレール部材３６でガイドして、鍵盤部３５の各蓋部４０を順次、楽器本体１の下部側に円滑に移動させることができると共に、鍵盤蓋３５を楽器本体１の下部側に安定させた状態で収納することができる。
【００６２】
また、このガイドレール部材３６の下側に位置する後端部には、ばね部材４２が設けられているので、鍵盤蓋３５を開いて鍵盤部４を露出させる際に、前蓋３７の蓋部４０の端部３７ａをばね部材４２に弾接させることができ、これにより鍵盤蓋３５による衝撃を吸収することができるほか、前蓋３７の蓋部４０の端部３７ａでばね部材４２を押して圧縮させることができる。このため、鍵盤蓋３５が鍵盤部４を覆って閉じる際には、圧縮されたばね部材４２のばね力によって鍵盤蓋３５を押し出すことができるので、鍵盤蓋３５が重くても、軽い力で鍵盤蓋３５を移動させることができる。
【図面の簡単な説明】
【００６３】
【図１】この発明を適用した鍵盤楽器の実施形態１における鍵盤楽器の平面図である。
【図２】図１の鍵盤楽器のＡ−Ａ矢視における断面図である。
【図３】図２の要部を示した拡大断面図である。
【図４】図３の回動支持部を断面で示した要部の拡大正面図である。
【図５】図４の軸受部を示し、（ａ）はその拡大断面図、（ｂ）はその側面図である。
【図６】図３において鍵盤蓋をストッパ部で係止した状態を示した要部の拡大平面図である。
【図７】図３において鍵盤蓋を楽器本体の下部側に移動させる動作過程を示した拡大断面図である。
【図８】この発明を適用した鍵盤楽器の実施形態２における要部を示した拡大断面図である。
【図９】図８のガイドレール部材を断面で示した要部の拡大正面図である。
【図１０】図９のガイドレール部材で前蓋の側縁部を摺動可能に支持してガイドする状態を示した要部の拡大断面図である。
【図１１】図８において鍵盤蓋を楽器本体の下部側に移動させる動作過程を示した拡大断面図である。
【図１２】図１１において鍵盤蓋を楽器本体の下部側に移動させて収納した状態を示した拡大断面図である。
【図１３】実施形態２の変形例においてガイドレール部材で鍵盤蓋をガイドして収納した状態を示した要部の拡大断面図である。
【図１４】図１３の鍵盤蓋を閉じて鍵盤部を覆った際においてガイドレール部材を断面で示した要部の拡大正面図である。
【図１５】図１４における要部の拡大平面図である。
【図１６】この発明を適用した鍵盤楽器の実施形態３における要部を示した拡大断面図である。
【図１７】図１６において鍵盤蓋を開いて楽器本体の下部側に収納した状態を示した要部の拡大断面図である。
【符号の説明】
【００６４】
１  楽器本体
２  側板
４  鍵盤部
１２、２６、３５  鍵盤蓋
１３、２７、３７  前蓋
１４、２８、３８  後蓋
１５、４１  屈曲連結部
１６  回動支持軸
１７  支持軸
１８  軸受部
２５、３６  ガイドレール部材
２５ａ  ガイド溝
２５ｂ  ガイド支持部
２９  ガイド軸
３１  ガイドローラ
４０  蓋部
４２  ばね部材
【図１】
2010072264.tif 000003
【図２】
2010072264.tif 000004
【図３】
2010072264.tif 000005
【図４】
2010072264.tif 000006
【図５】
2010072264.tif 000007
【図６】
2010072264.tif 000008
【図７】
2010072264.tif 000009
【図８】
2010072264.tif 000010
【図９】
2010072264.tif 000011
【図１０】
2010072264.tif 000012
【図１１】
2010072264.tif 000013
【図１２】
2010072264.tif 000014
【図１３】
2010072264.tif 000015
【図１４】
2010072264.tif 000016
【図１５】
2010072264.tif 000017
【図１６】
2010072264.tif 000018
【図１７】
2010072264.tif 000019